(57)【要約】【課題】装置の設置環境によらず、狭い空間でも操作しやすい方向からサプライ部品の交換ができるものとする。【解決手段】交換可能なサプライ部品１３０を装置本体１１０内に備え、装置本体１１０の外壁部に当該サプライ部品１３０の交換用開口部が開設されると共に、前記交換用開口を開閉可能に覆うカバー部材１２０を備え、交換用開口部１０８ａ〜１０８ｄは、画像形成装置１００の異なる方向に配置された外壁部１０１,１０４,１０５,１０６に開設され、カバー部材１２０は、開状態となることにより交換用開口部１０８ａ〜１０８ｄから異なる方向Ａ、Ｂからサプライ部品１３０の交換が可能に構成されている。【選択図】図２
2010139655.tif 000002
【特許請求の範囲】
【請求項１】
交換可能なサプライ部品を装置本体内に備え、装置本体の外壁部に当該サプライ部品の交換用開口部が開設されると共に、前記交換用開口を開閉可能に覆うカバー部材を備えた装置において、
当該交換用開口部は、装置の異なる方向に配置された外壁部に開設され、前記カバー部材は、開状態となることにより異なる方向に配置された交換用開口部から前記サプライ部品の交換が可能に構成されていることを特徴とする装置。
【請求項２】
前記カバー部材は、異なる方向に開閉動作する複数の開閉部材を備え、いずれかの開閉部材を開状態とすることで当該開いた開閉部材が覆っていた開口部から前記サプライ部品の交換が可能に構成されていることを特徴とする請求項１記載の装置。
【請求項３】
主たるカバー部材と、この主たるカバー部材に配置され主たるカバー部材の開閉方向と異なる従たる方向に開閉動作する従たる開閉カバーと、を備え、主又は従のいずれかの開閉カバーを開放し、当該開放したカバー部材が覆っていた開口部からサプライ部品の交換が可能に構成されていることを特徴とする請求項１又は２記載の装置。
【請求項４】
サプライ部品は複数配置されていることを特徴とする請求項１乃至３のいずれか記載の装置。
【請求項５】
画像形成装置であり、サプライ部品はトナーを収納する容器であることを特徴とする請求項１乃至４のいずれか記載の装置。
【請求項６】
操作部の操作方向及び給紙カセットの取り出し方向を変更できることを特徴とする請求項５記載の装置。
【発明の詳細な説明】
【技術分野】
【０００１】
本発明は装置に係り、特に交換可能なサプライ部品を装置本体内に備え、装置本体の外壁部に当該サプライ部品の交換用開口部が開設されると共に、前記交換用開口を開閉可能に覆うカバー部材を備えた装置に関する。
【背景技術】
【０００２】
装置としてトナー容器、印刷用紙、電池、カセットコンロのガス缶等のサプライ部品を配置して動作機能するが装置があり、このような装置ではサプライ部品の交換のため開口部が開設され、この開口部は開閉可能なカバー部材で覆われている。そして、このような開口及びカバー部材は装置の交換操作を行いやすい所に１ヶ所だけ設けられているのが一般的である。このような装置において、１人で持てる程度のものであれば操作しやすい方向にカバー部材を開放するよう設定することが容易であるが、１人で動かせないほどの質量であったり、装置を狭い場所で使用したりする場合は、カバー部材を容易に開閉できる方向に設定してサプライ部品を容易に交換できるようにできるとは限らない。即ち、カバー部材が大きくなりカバー部材を開くための空間が装置の回りに確保できなかったり、カバー部材を開くことができたとしてもサプライ部品が見えにくかったり操作しにくい位置にあったりすることがある。この不具合は、サプライ部品が複数となり、装置に対するサプライ部品の設置場所が広がると更に増すこととなる。
【０００３】
特許文献１には、トナー容器がカバーを開くことによって上面と側面から露出、交換作業が容易としたものが記載されている。
【０００４】
特許文献２には、トナー容器のトナー排出口の開閉がカバーの開閉に連動し、カバーが装置の２面にまたがったもの、即ち、トナー補給部へのトナー供給容器の着脱に連動してトナー供給容器のトナー排出口の開閉を行うものが記載されている。
【０００５】
特許文献３には、中間転写ユニットを保持する上カバーを開いて内部のメンテナンス、前カバーを開いてジャム処理を実施するというもの、即ち、転写材を給送部から搬送する給送搬送手段と、トナー像が形成される像担持体を有する画像形成部と、前記像担持体の上方に配置された中間転写体と、前記トナー像を前記中間転写体へ順次一次転写し、前記中間転写体上のトナー像を転写材上に一括に二次転写する転写部と、中間転写体の上方に配置された排出トレイと、装置内部にアクセスするために開放可能な複数の開放機構と、を有する画像形成装置において、前記複数のカバーとして、前記排出トレイ及び中間転写体を上方に持ち上げることが可能な上部開放機構と、装置前面に配設した軸を中心として手前側に回動する前部開放機構と、を有し、前記上部カバー及び前記前部カバーは別々に開放が可能であるものが記載されている。
【０００６】
特許文献４には、４本のトナーボトルの視認性と操作性を操作部と連携して実施するもの、即ち、操作パネルに設けた開放操作部位表示用の図柄内に位置するように、開放操作を行うべき部位の表示を、操作パネルの内面側に設けたＬＥＤ等の発光体で発光表示できるように設け、用紙が詰まってカバーである積載部を開ける必要が生じたときなどには、開放操作すべき部位や順番などを図柄内で表示でき、サービスマンやユーザー等の操作者は、余計な情報を見なくても用紙詰まりの対応処理などを行えるものが記載されている。
【０００７】
特許文献５には、小型装置でひとつのカバーから内部の複数の部品を同一方向に脱着できるもの、即ち、画像形成装置本体と、この画像形成装置本体内にあって水平方向に対して斜めに配置され、シート又は像を搬送する搬送ベルトと、画像形成装置本体に着脱自在に設けられ、搬送ベルト又は搬送ベルトに搬送されるシートにトナー像を形成するための複数の感光体を有する感光体ユニットと、複数の感光体に潜像を形成する光書き込み装置とを有し、画像形成装置本体は、搬送ベルトと光書き込み装置との間から感光体ユニットの着脱を行うための開閉カバーが画像形成装置本体の上部に設けられている画像形成装置が記載されている。
【特許文献１】特開２００２−９９１３０号公報
【特許文献２】特開２００３−７６１２３号公報
【特許文献３】特開２００４−２９２１１号公報
【特許文献４】特開２００６−１４５８０４号公報
【特許文献５】特開２００８−２６３６１号公報
【発明の開示】
【発明が解決しようとする課題】
【０００８】
ところで、近年のプリンタや複写機等の画像形成装置は、小型化が進んでおり、そのため、ラックの上のような高い場所に置かれたり、逆にラックの下の高さに余裕のない場所に置かれたりすることがある。更に、他に配置されて画像形成装置や家電機器、壁や棚などにより、画像形成装置の両側部に空間がほとんどないような状態で設置されている場合もある。このような場合、設置環境や使い勝手に合わせて、画像形成装置の設置向きを変えたいと思っても、画像形成装置の操作部や紙を補給するためのカセットの向きの都合で自由に方向変更することができない場合が多い。そのため、頻度の比較的少ないトナー交換や内部パーツのメンテナンスは、それらにアクセスするためのカバー開閉を含めて非常にやりづらい作業になってしまうことがある。
【０００９】
そこで本発明は、装置の設置環境によらず、狭い空間でも操作しやすい方向からサプライ部品の交換できる装置を提供することを目的とする。
【課題を解決するための手段】
【００１０】
請求項１の発明は、交換可能なサプライ部品を装置本体内に備え、装置本体の外壁部に当該サプライ部品の交換用開口部が開設されると共に、前記交換用開口を開閉可能に覆うカバー部材を備えた装置において、当該交換用開口部は、装置の異なる方向に配置された外壁部に開設され、前記カバー部材は、開状態となることにより異なる方向に配置された交換用開口部から前記サプライ部品の交換が可能に構成されていることを特徴とする装置である。
【００１１】
請求項２の発明は、請求項１記載の装置において、前記カバー部材は、異なる方向に開閉動作する複数の開閉部材を備え、いずれかの開閉部材を開状態とすることで当該開いた開閉部材が覆っていた開口部から前記サプライ部品の交換が可能に構成されていることを特徴とする。
【００１２】
請求項３の発明は、請求項１又は２記載の装置において、主たるカバー部材と、この主たるカバー部材に配置され主たるカバー部材の開閉方向と異なる従たる方向に開閉動作する従たる開閉カバーと、を備え、主又は従のいずれかの開閉カバーを開放し、当該開放したカバー部材が覆っていた開口部からサプライ部品の交換が可能に構成されていることを特徴とする。
【００１３】
請求項４の発明は、請求項１乃至３のいずれか記載の装置において、サプライ部品は複数配置されていることを特徴とする。
【００１４】
請求項５の発明は、請求項１乃至４のいずれか記載の装置において、画像形成装置であり、サプライ部品はトナーを収納する容器であることを特徴とする。
【００１５】
請求項６の発明は、請求項５記載の装置において、操作部及びカセットの向きが変更できることを特徴とする。
【発明の効果】
【００１６】
本発明に係る装置によれば、交換用開口部は、装置の異なる方向に配置された外壁部に開設され、前記カバー部材は、開状態となることにより異なる方向に配置された交換用開口部から前記サプライ部品の交換が可能に構成されているから、装置の設置環境によらず、狭い空間でも操作しやすい方向からサプライ部品の交換できるという効果がある。
【発明を実施するための最良の形態】
【００１７】
以下本発明を実施するための最良の形態としての実施例を図面に基づいて説明する。
【実施例】
【００１８】
以下、本発明の実施例について説明する。以下では装置を画像形成装置とした場合について説明する。図１は実施例としての画像形成装置を示す斜視図、図２はカバー部材を開状態とした画像形成装置を示す斜視図である。本例に係る画像形成装置１００は、トナー容器等のサプライ部品１３０を着脱可能に配置したもので、トナー容器内のトナーを使用して印刷動作を実行する。画像形成装置１００は、上面部１０１、下面部１０２、図中手前（矢印Ｃ）側に向く手前面部１０３、同奥側に向く奥側面部１０４、図中左（同矢印Ｂ）側を向く左側面部１０５、同右側を向く右側面部１０６を備えた略直方形状をなしている。また、画像形成装置１００は、前記サプライ部品１３０交換用の開口部を備えた装置本体１１０と、この装置本体１１０の開口部を開閉可能に覆うカバー部材１２０とを備える。本例では、開口部は、奥上側の稜線１０７を挟んで上面部１０１に上側開口部１０８ａ、奥側面部１０４に奥側開口部１０８ｂ、また、左側面部１０５に左側開口部１０８ｃ、右側面部１０６に右側開口部１０８ｄを配置するようにしている。
【００１９】
カバー部材１２０は上記稜線１０７を挟んで前記上側開口部１０８ａを覆う上側部１２１、奥側開口部１０８ｂを覆う奥側部１２２、左側開口部１０８ｃを覆う左側部１２３、及び、右側開口部１０８ｄを覆う右側部１２４を備えて一体に形成され、支持軸１２５で装置本体１１０の奥側面部１０４側に連結され全体を奥側に向け回動可能に支持される。また、前記上側部１２１及び左側部１２３には開閉時に手指をかけるための取手部材１２６,１２７が配置されている。なお、装置本体１１０及びカバー部材１２０やその近傍には、開閉動作をスムーズに行うダンパー、閉じた状態を維持するためのマグネットやラッチ、閉じたことを検知するためのスイッチ、サプライ部品１３０の有無を確認するための窓、サプライ部品１３０のスムーズな交換や位置決めのため部材を設けることができる。
【００２０】
このような画像形成装置１００では、上方及び側方からサプライ部品１３０の交換を行うことができる。まず上方からサプライ部品１３０の交換を行うときには、取手部材１２６を引き上げることによってカバー部材１２０を開いて（図２の状態）サプライ部品１３０を開口部１０８から視認することができ。そして、サプライ部品１３０を上方（Ａ方向）に持ち上げることで古くなった（空の）サプライ部品１３０を装置本体１１０から取り外すことができる。更に、逆の手順で新しいサプライ部品１３０を装置本体１１０の定位置にセットすることができる。この一連の作業は、カバー部材１２０の上側部１２１の範囲（投影面a：図１中ハッチングで示した）で行うことができる。また、画像形成装置１００の横方向からサプライ部品１３０を交換には、取手部材１２７に手指をかけ、カバー部材１２０を支持軸１２５を中心に回転させることでカバー部材１２０を開く（図２の状態）。この状態で、サプライ部品１３０を側方から視認することができ、そして、サプライ部品１３０を図１中矢印Ｂの方向に引き抜くことで古くなった（空の）サプライ部品１３０を装置本体１１０から外すことができる。更に逆の手順で新しいサプライ部品１３０を装置本体１１０の定位置にセットすることができる。この一連の作業は、カバー部材１２０の左側部１２３の範囲（投影面ｂ：図１中ハッチングで示した）で行うことができる。
【００２１】
ここで、上記例では装置は画像形成装置としサプライ部品１３０はトナー容器として説明したが、サプライ部品１３０は、印刷用紙とすることができる他、装置を画像形成装置以外のものとし、サプライ部品を乾電池、ガス缶、ビンや缶に入った飲み物等とすることができる。また、サプライ部品１３０には、Ａ方向やＢ方向に交換するときに使用する持ち手やノブをサプライ部品１３０に設けてもよい。サプライ部品１３０のサプライそのものの供給に関しては種々の方式が知られているが、トナー容器の場合、内部に収容したトナーを開口部から排出する容器本体と、容器本体の前記開口部から排出されたトナーをトナー排出口から排出するとともに、前記トナー容器収容部に非回転で保持される被保持部と、を備え、前記被保持部が前記容器本体に対して装着方向の先方になるように当該容器本体の長手方向に沿って前記トナー容器収容部に装着され、前記被保持部は、前記トナー容器収容部に対する着脱動作に連動して前記トナー排出口を開閉する開閉部材を備え、前記容器本体は、前記装着方向の後方に把持部を備えるもの（特開２００７−１４８３２０号公報参照）を使用することができる。このようなトナー容器でＡ方向に脱着交換する際は、一定距離Ｂ方向にずらした後Ａ方向に脱着できるように画像形成装置の大きさやトナー容器の長さを設定する。本例によれば画像形成装置等の装置の設置環境により、側面（図１中ｂ）側に近接して壁やものがあっても、上側（矢印Ａ側）からトナー容器を交換することができる。
【００２２】
次に第２の実施例について説明する。図３は第２の実施例としての画像形成装置を示す斜視図、図４はカバー部材を開状態とした画像形成装置を示すものであり、（ａ）は画像形成装置の斜視図、（ｂ）は変形例としての画像形成装置の斜視図である。画像形成装置２００は、前記サプライ部品１３０交換用の開口部を備えた装置本体２１０と、この装置本体の開口部を開閉可能に覆うカバー部材２２０とを備える。画像形成装置２００は、上面部２０１、上面部２０１、手前面部２０３、奥側面２０４、左面部２０５、右面部２０６からなる略立法形に形成されており、装置本体２１０には、開口部として上面部２０１側に上側開口部２０８ａが、左面部２０５側に左側開口部２０８ｂが前記２０８aと連通するように開設されている。そして、上側開口部２０８ａは上側カバー部材２２１が、左側開口部２０８ｂは横側カバー部材２２２が各開口部を覆うように設置されている。ここで、上側カバー部材２２１は、取手部材２２７を備え、装置本体２１０の奥側面２０４に支持軸２２５で回転自在に支持されている。また、横側カバー部材２２２は取手部材２２８を備え奥側面２０４に支持軸２２６で回転自在に支持されている。
【００２３】
従って、本例に係る画像形成装置２００では、上側カバー部材２２１、横側カバー部材２２２を個別に開閉することができ、いずれを開いても、サプライ部品１３０を視認し脱着交換できる。
【００２４】
次に第２の実施例の変形例について説明する。図４（ｂ）示すように、この変形例に係る画像形成装置３００は、前記画像形成装置２００と同様に上側開口部３０８ａと横側開口部３０８ｂとを開設し、上側開口部３０８を右側面３０６に支持軸３２５で支持した上側カバー部材３２１で、横側開口部３０９を左側面３０５に支持軸３２６で支持した横側カバー部材３２２で開閉可能に覆うものである。本例によっても上側カバー部材３２１、横側カバー部材３２２を個別に開閉でき、上方向、横方向の複数方向から、それぞれの開口の投影面内においてサプライ部品１３０の交換ができる。このように、各カバー部材の支持軸は上述した例の位置に限ることなく、同一線上、直交する線上、平行な線上に設置することができる。また、各カバー部材は上述した支持軸による回転支点に限らず、本体から完全に取り外すことができる蓋部材やキャップ部材とすることや、サプライ部品１３０を載せてスライドして出し入れできる引出し部材とすることができる。本例によれば、異なる面のカバー部材を開くことでサプライ部品を異なる方向から、各カバー部材の投影面内で交換することができる。
【００２５】
次に第３の実施例について説明する。図５は第３の実施例としての画像形成装置を示すものであり、（ａ）は画像形成装置の斜視図、（ｂ）はカバー部材を開状態とした画像形成装置の斜視図である。本例に係る画像形成装置４００は、サプライ部品１３０交換用の開口部を備えた装置本体４１０と、この装置本体の開口部を開閉可能に覆うカバー部材４２０とからなる。画像形成装置４００は、上面部４０１、上面部４０１、手前面部４０３、奥側面部４０４、左面部４０５、右面部４０６からなる略立法形である。
【００２６】
本例では、開口部は、奥上側の稜線４０７を挟んで上面部４０１に上側開口部４０８ａを、奥側面部４０４に奥側開口部４０８ｂ、左側面部４０５に左側開口部４０８ｃを、右側面部４０６に右側開口部４０８ｄを連通するように開設されている。
【００２７】
そして、カバー部材４２０は、装置本体４１０に回転自在に支持される主カバー部材４２１と、主カバー部材４２１に回動可能に配置された従カバー部材４２２とを備える。主カバー部材４２１は、上側開口部４０８ａを覆う上面部４２１ａ、奥側開口部４０８ｂを覆う奥側面部４２１ｂ、右側開口部４０８ｄを覆う右側面部４２１ｃから一体に形成されてなり、上面部４２１ａには取手部材４２７が設けられ、支持軸４２５で奥側面部４０４に回転自在に保持されている。
【００２８】
また、従カバー部材４２２は、取手部材４２８が配置されると共に、前記奥側面部４２１ｂの左側端縁部に支持軸４２６で回転自在に支持されている。
【００２９】
従って、本例に係る画像形成装置４００では、主カバー部材４２１、従カバー部材４２２を個別に開閉することができ、いずれを開いても、サプライ部品１３０を視認し脱着交換できる。即ち、取手部材４２７によって主カバー部材４２１を開く（図５（ｂ）中矢印Ｄ）ことにより、主カバー部材４２１の投影面内で上下方向（Ａ方向）からサプライ部品１３０を交換することができる。また、従カバー部材４２２は取手部材４２８で開く（図５（ｂ）中矢印Ｅ）ことができ、従カバー部材４２２の投影面内で横方向（Ｂ方向）からサプライ部品１３０を交換するができる。このとき上側カバー部材２２１を開状態として更に従カバー部材４２２を開くと上側カバー部材２２１が邪魔にならずサプライ部品１３０の交換を行いやすい。また、装置本体４１０の手前（図５（ａ）、（ｂ）中のＣ方向）に操作者が立って横方向（同Ｂ方向）にサプライ部品１３０を脱着交換することもできる。これは、画像形成装置４００の設置位置が高かったり画像形成装置４００そのものの高さが高かったりして上側カバー部材２２１を開放することができず、また画像形成装置４００の側方（同Ｂ方向）に机などがあり、操作者が回り込めないときなどに有効である。
【００３０】
次に第４の実施例について説明する。図６は第４の実施例としての画像形成装置を示すものであり、（ａ）は画像形成装置の斜視図、（ｂ）はカバー部材を開状態とした画像形成装置を示す斜視図、（ｃ）は画像形成装置の側面図、図７は第４の実施例としての画像形成装置の変形例を示す斜視図である。本例に係る画像形成装置５００は、図５（ａ）,（ｂ）に示すように、第１実施例と同様に、装置本体５１０にカバー部材５２０を開閉可能に配置し、装置本体に開設されたで開閉可能に覆うものである。また、本例ではサプライ部品は複数個、例えば４個の円筒状のサプライ部品１３０ａ,１３０ｂ,１３０ｃ,１３０ｄが装置本体５１０に配置されている。また、カバー部材５２０は支持軸５５２で装置本体５１０に開閉可能に配置される他、カバー部材５２０には取手部材５２６が設置されている。本例によれば、カバー部材５２０を開状態として、総てのサプライ部品１３０ａ,１３０ｂ,１３０ｃ,１３０ｄは上方向（図中Ａ方向）にも横方向（同Ｂ方向）にも脱着交換できる。この例では、カバー部材５２０は前記第１実施例と同様に一体に構成したものであるが、第２実施例のように複数、第３実施例のように主カバー部材及び従カバー部材を備えて構成することができる。
【００３１】
ここで、本実施例のように、カバー部材５２０が大きくなるとそれを開くために必要なスペースも大きくなってしまう。そのようなときには、図５（ｃ）に示すように、装置本体５１０にカバー部材５２０を開閉自在に取り付ける支持部材５６０として、本体に固定して取り付けられるベースと、ベース上に軸支されたアームと、夫々の一端がアーム上の離間した位置及び他端がリフトアーム上の離間した位置に軸支された前リンク及び後リンクとよりなるヒンジ装置とすることができる。このヒンジ装置によれば前リンクと後リンクは平行四辺形の相対する２辺を形成し、蓋体の平行な上下動ができ、カバー部材の開閉に必要なスペースを小さくすることができ、画像形成装置５００の上側に天井や物があったとしても側方（Ｂ方向）からサプライ部品１３０ａ,１３０ｂ,１３０ｃ,１３０ｄの脱着交換を実施することができる。
【００３２】
また、上記例では、サプライ部品１３０ａ,１３０ｂ,１３０ｃ,１３０ｄが円筒状の例を示したが、サプライ部品の形状は他のものであってよい。即ち、図７（ａ）、（ｂ）に示すように、画像形成装置６００に配置するサプライ部品１３０ｅ,１３０ｆ,１３０ｇ,１３０ｈが略直方体形状であってもよい。このような場合であっても、装置本体６１０に支持軸６２１で回動自在に取り付けられたカバー部材６２０を開放することにより、前記例と同様に上方向（Ａ方向）からも側方（Ｂ方向）からもサプライ部品１３０ｅ,１３０ｆ,１３０ｇ,１３０ｈを脱着交換できる。
【００３３】
ここで、一般にサプライ部品の数が増加すると装置も大きい傾向があり、一方側のサプライ部品（例えば１３０ａ、１３０ｅ）の脱着交換が容易であったとしても他方側のサプライ部品（例えば１３０ｄ、１３０ｈ）の脱着交換が困難である場合がある。このような状況の場合において、カバー部材の投影面内で２つの方向からサプライ部品を交換できる本発明は特に有効である。
【００３４】
前記各実施例は、サプライ部品としてトナー収納容器を備える画像形成装置に適用したものである。画像形成装置は、複写機やファクシミリ、プリンタ、印刷機、及びそれらの複合機などがあり、前記第１、第２、第３実施例は、白黒機、第４実施例は複数の色のトナー収納容器が必要なカラー機に採用できる。また、前述のように、サプライ部品として略直方体のインク容器やチューブ式のインク収容容器等を備えた画像形成装置にも採用できる。
【００３５】
次に第６の実施例について説明する。図８は実施例としての画像形成装置を示す斜視図である。画像形成装置は通常、ユーザーが立つ側を装置の一方向側（手前側）に想定し、この手前側に装置の操作部を配置すると共に、手前側からトナー容器、印刷用紙が交換できるようにする。しかし、各ユーザーにおける画像形成装置の設置環境によっては画像形成装置の手前側にユーザーが立てない場合、例えば画像形成装置の手前側が壁などでふさがれてしまうことがある。本例では、このような場合でも大きな変更をすることなく、ユーザーが画像形成装置の手前側に立つ通常の使用、及び、ユーザーが画像形成装置の横側に立つ変則的な使用の両方に対応できるようにしたものである。
【００３６】
本例では、画像形成装置７００は、装置本体７１０とカバー部材７２０とを備え前記手前側及び横側からトナー容器の交換をすることができる（画像形成装置４００相当）ものである。画像形成装置７００は、カバー部材７２０を開放してトナー容器の交換を手前側及び横方向側からできるものであり、更に装置本体７１０に配置されている操作部７１１は、手前側から使用に対応する場合は実線で示した位置とし、横方向側からの使用に対応する場合には破線に示した位置（符号７１１ａ）とすることができるものである。
【００３７】
そして、本例では、印刷用紙の収納給紙装置を手前側（図８中Ｘ）から印刷用紙の補給が行える第１の収納給紙装置７３０と、横方向側（図８中Ｙ）から印刷用紙の補給が行える第２の収納給紙装置７４０のうちから一方の収納給紙装置を選択し、前記画像形成装置７００と組み合わせる。ここで各収納給紙装置７３０,７４０は同一の収納給紙機構の構成を備え、給紙カセット７３１,７４１の取り出し方向だけが、図中Ｘ方向と図中Ｙ方向と異なるものである。
【００３８】
この例では、手前側（Ｃ方向）にユーザーが立つように画像形成装置７００を設置するときには、装置本体７１０の操作部７１１を変更することなく、画像形成装置７００と、第１の収納給紙装置７３０とを組み合わせる。これにより、手前側（Ｃ方向）に立ったユーザーは画像形成装置の操作及びトナー容器の交換、印刷用紙の補給を行うことができる。
一方、手前側にユーザーが立てず、横方向側（Ｂ方向）にユーザーが立つように画像形成装置７００を設置するときには、装置本体７１０の操作部７１１を破線の位置（７１１ａ）に移動し、第２の収納給紙装置７４０を組み合わせる。これにより、横方向側（Ｂ方向）からユーザーが画像形成装置の操作及びトナー容器の交換、印刷用紙の補給を行うことができる。
【図面の簡単な説明】
【００３９】
【図１】実施例としての画像形成装置を示す斜視図である。
【図２】カバー部材を開状態とした画像形成装置を示す斜視図である。
【図３】第２の実施例としての画像形成装置を示す斜視図である。
【図４】カバー部材を開状態とした画像形成装置を示すものであり、（ａ）は画像形成装置の斜視図、（ｂ）は変形例に係る画像形成装置の斜視図である。
【図５】第３の実施例としての画像形成装置を示すものであり、（ａ）は画像形成装置の斜視図、（ｂ）はカバー部材を開状態とした画像形成装置の斜視図である。
【図６】第４の実施例である画像形成装置を示すものであり、（ａ）は画像形成装置の斜視図、（ｂ）はカバー部材を開状態とした画像形成装置を示す斜視図、（ｃ）は画像形成装置の側面図である。
【図７】第４の実施例としての画像形成装置の変形例を示す斜視図である。
【図８】第５の実施例としての画像形成装置を示す斜視図である。
【符号の説明】
【００４０】
１００…画像形成装置
１０１…上面部
１０２…下面部
１０３…手前面部
１０４…奥側面部
１０５…左側面部
１０６…右側面部
１０７…稜線
１０８…開口部
１０８ａ…上側開口部
１０８ｂ…奥側開口部
１０８ｃ…左側開口部
１０８ｄ…右側開口部
１１０…装置本体
１２０…カバー部材
１２１…上側部
１２２…奥側部
１２３…左側部
１２４…右側部
１２５…支持軸
１２７…取手部材１２６,
１３０…サプライ部品
１３０ｄ,１３０ａ,１３０ｂ,１３０ｃ…サプライ部品
１３０ｅ,１３０ｆ,１３０ｇ, １３０ｈ…サプライ部品
２００…画像形成装置
２０１…上面部
２０３…手前面部
２０４…奥側面
２０５…左面部
２０６…右面部
２０８ａ…上側開口部
２０８ｂ…左側開口部
２１０…装置本体
２２０…カバー部材
２２１…上側カバー部材
２２２…横側カバー部材
２２５…支持軸
２２６…支持軸
２２７…取手部材
２２８…取手部材
３００…画像形成装置
３０５…左側面
３０６…右側面
３０８…上側開口部
３０８ａ…上側開口部
３０８ｂ…横側開口部
３０９…横側開口部
３２１…上側カバー部材
３２２…横側カバー部材
３２５…支持軸
３２６…支持軸
４００…画像形成装置
４０１…上面部
４０３…手前面部
４０４…奥側面
４０５…左面部
４０６…右面部
４０７…稜線
４０８ａ…上側開口部
４０８ｂ…奥側開口部
４０８ｃ…左側開口部
４０８ｄ…右側開口部
４１０…装置本体
４２０…カバー部材
４２１…主カバー部材
４２１ａ…上面部
４２１ｂ…奥側面部
４２１ｃ…右側面部
４２２…従カバー部材
４２５…支持軸
４２６…支持軸
４２７…取手部材
４２８…取手部材
５００…画像形成装置
５１０…装置本体
５２０…カバー部材
５２６…取手部材
５５２…支持軸
５６０…支持部材
６００…画像形成装置
６１０…装置本体
６２０…カバー部材
６２１…支持軸
７００…画像形成装置
７１０…装置本体
７１１…操作部
７２０…カバー部材
７３０…第１の収納給紙装置
７３１,７４１,…給紙カセット
７４０…第２の収納給紙装置
【図１】
2010139655.tif 000003
【図２】
2010139655.tif 000004
【図３】
2010139655.tif 000005
【図４】
2010139655.tif 000006
【図５】
2010139655.tif 000007
【図６】
2010139655.tif 000008
【図７】
2010139655.tif 000009
【図８】
2010139655.tif 000010